(57)【要約】【課題】ウェブサイトに新しい更新情報が存在する場合に、端末装置にこの更新情報を取得させ、社員の都合のよいときに更新情報の閲覧を見落としをすることなくしてもらう。【解決手段】この情報提供システムは、Ｗｅｂ（ＷＷＷ、ＩＰ網など）を介して取得して閲覧可能な情報であるＷｅｂ文書（例えば、ＨＴＭＬ文書、ＸＭＬ文書、電子メールなど）と、Ｗｅｂ文書の更新内容を記述した更新情報（例えば、ＲＳＳ文書）を記憶する情報提供サーバと、更新情報を取得しユーザに閲覧させるＲＳＳリーダ部を有する端末装置と、ＳＩＰリクエストを用いて端末装置と接続を確立し、端末装置に所定のリクエストを送信するＳＩＰサーバとを有する。情報提供サーバは、新たな更新情報を有する場合、ＳＩＰサーバに更新情報の取得を促す所定のリクエストを端末装置に宛てて送信させ、端末装置はそのリクエストに応じて情報提供サーバから更新情報を取得する。【選択図】    図１
2007334743.tif 000002
【特許請求の範囲】
【請求項１】
Ｗｅｂを介して取得して閲覧可能な情報であるＷｅｂ文書と、前記Ｗｅｂ文書の更新内容を記述した更新情報を記憶する情報提供サーバと、
前記更新情報を取得しユーザに閲覧させる更新情報閲覧手段を有する端末装置と、
ＳＩＰリクエストを用いて前記端末装置と接続を確立し、前記端末装置に所定のリクエストを送信するＳＩＰサーバと
を有する更新情報提供システムであって、
前記情報提供サーバは、新たな更新情報を有する場合、前記ＳＩＰサーバに更新情報の取得を促す前記所定のリクエストを前記端末装置に宛てて送信させ、前記端末装置はそのリクエストに応じて前記情報提供サーバから更新情報を取得する
ことを特徴とする更新情報提供システム。
【請求項２】
前記ＳＩＰサーバは、端末装置若しくは端末装置のユーザについて宛先情報を含む登録情報を記憶するロケーションサーバ手段と、前記登録情報を更新するレジストラ手段とを有し、前記所定のリクエストをロケーションサーバ手段に記憶された宛先情報に応じて送信する、ことを特徴とする請求項１に記載の更新情報提供システム。
【請求項３】
前記端末装置は、更新情報に対応するＷｅｂ文書を前記所定のリクエストに応じて前記情報提供サーバから取得する、ことを特徴とする請求項１又は２に記載の更新情報提供システム。
【請求項４】
更新情報を取得してユーザに閲覧させる更新情報閲覧手段と、
ＳＩＰサーバとの間でセッションの開設を行うと共に、前記ＳＩＰサーバから所定のリクエストを受信すると、前記更新情報閲覧手段を起動させて更新情報を取得させる通知処理手段と
を有することを特徴とする端末装置。
【請求項５】
前記更新情報に対応するＷｅｂ文書を取得して、これを端末装置のユーザである社員に閲覧させるＷｅｂ文書閲覧手段をさらに有し、
前記通信処理手段は、前記ＳＩＰサーバから所定のリクエストを受信すると、前記Ｗｅｂ文書閲覧手段を起動させて更新情報を取得させる
ことを特徴とする請求項４に記載の端末装置。
【請求項６】
Ｗｅｂ文書を要約するために用意された共通のデータフォーマットで記述され、Ｗｅｂを経由して閲覧可能な更新情報を記憶すると共に、端末装置からの要求に応じて更新情報を端末装置に宛てて送信する更新情報送信手段と、
前記更新情報送信手段が記憶する更新情報のうち、前記端末装置に対して未送信の更新情報である未読更新情報の有無を判定する更新管理手段と、
前記更新管理手段が未読更新情報があると判定した場合、その未読更新情報の受け取り先となる端末装置に、未読更新情報の取得を求めるリクエストである所定のリクエストをＳＩＰサーバに送信させる通知手段と
を有することを特徴とする情報提供サーバ。
【発明の詳細な説明】
【技術分野】
【０００１】
本発明は、更新情報提供システム、端末装置、並びに情報提供サーバに関し、より詳しくは、更新情報を自動的に端末装置に取得させることにより、例えば会社外など外出先であっても更新情報を閲覧できる更新情報提供システム、端末装置、並びに情報提供サーバに関する。
【背景技術】
【０００２】
近年、企業などは、時間、場所や組織の垣根を越えた情報共有を図り、また情報資産の活用と業務の効率化を求め、社員などの情報の共有化を図っている。たとえば、いわゆるグループエアの導入により、各社員が共通の情報資産（掲示板、スケジュール管理ソフト、など）に随時アクセスできるようにして、グループ、プロジェクトメンバ間の業務連携や進捗管理ができるようにしたり、利用頻度の高いドキュメント（各種資料、伝達文書など）を閲覧したり、外出先、出張先から携帯電話を利用して届出・承認・設備予約やスケジュール管理を行えるようにしている（例えば、特許文献１）。
【特許文献１】特開２００２−２５９５８９号公開公報
【発明の開示】
【発明が解決しようとする課題】
【０００３】
上記のような情報の共有化を図るためのシステムを利用する場合、重要な情報の更新がなされた場合、その更新内容を社員などに閲覧してもらう必要がある。しかし社員が営業活動などのために社外に出ている場合には、必ずしもすべての更新情報を閲覧できないおそれがある。なぜなら、共通の情報資産（掲示板、スケジュール管理ソフト、など）を構成するすべてのＷｅｂ文書を閲覧して回ることは、社員にとって時間をとられるため業務に支障が出るおそれがある。また、すべてのＷｅｂ文書を閲覧するためには十分なデータ転送量が必要となるが、外出先の通信環境ではデータ転送量が十分確保されない通信環境となる場合も考えられる。
【０００４】
本発明の目的は、ウェブサイトに新しい更新情報が存在する場合に、端末装置にこの更新情報を取得させ、社員の都合のよいときに更新情報の閲覧を見落としをすることなくしてもらうことを目的とする
【課題を解決するための手段】
【０００５】
上記課題を解決するための手段として、本発明は以下の特徴を有している。
本発明の第１の態様は、更新情報提供システムとして提案される。
この情報提供システムは、Ｗｅｂ（ＷＷＷ、ＩＰ網など）を介して取得して閲覧可能な情報であるＷｅｂ文書（例えば、ＨＴＭＬ文書、ＸＭＬ文書、電子メールなど）と、Ｗｅｂ文書の更新内容を記述した更新情報（例えば、ＲＳＳ文書）を記憶する情報提供サーバと、更新情報を取得しユーザに閲覧させる更新情報閲覧手段（例えば、ＲＳＳリーダ部）を有する端末装置と、ＳＩＰリクエストを用いて端末装置と接続を確立し、端末装置に所定のリクエストを送信するＳＩＰサーバとを有する。情報提供サーバは、新たな更新情報を有する場合、ＳＩＰサーバに更新情報の取得を促す所定のリクエストを端末装置に宛てて送信させ、端末装置はそのリクエストに応じて情報提供サーバから更新情報を取得することを特徴とする。
【０００６】
本システムによれば、新たな更新情報が存在する場合には、情報提供サーバからＳＩＰサーバを経由して端末装置に所定のリクエストを送ることにより、端末装置に更新情報の取得を行わせることができる。そのため、端末装置のユーザが更新情報の取得忘れや閲覧漏れをおこすことが防止される。
【０００７】
上記の更新情報提供システムにおいて、ＳＩＰサーバは、端末装置若しくは端末装置のユーザについて宛先情報（例えば、電話番号、ＳＩＰ  ＵＲＩ）を含む登録情報を記憶するロケーションサーバ手段と、登録情報を更新するレジストラ手段とを有し、所定のリクエストをロケーションサーバ手段に記憶された宛先情報に応じて送信するという特徴をさらに有するようにしてもよい。
【０００８】
このような更新情報提供システムによれば、ＳＩＰサーバを経由することにより、ＳＩＰサーバが実現するモビリティ機能を利用でき、ターミナルモビリティ、パーソナルモビリティに応じて適切な端末装置に随時端末装置に更新情報の取得を行わせることができ、端末装置のユーザが更新情報の取得忘れや閲覧漏れをおこすことを防止できる。
【０００９】
上記の更新情報提供システムにおいて、端末装置は、更新情報に対応するＷｅｂ文書を所定のリクエストに応じて情報提供サーバから取得することをさらに特徴として有していてもよい。
【００１０】
このような更新情報提供システムによれば、更新情報（更新内容の要約やヘッダ）を見て、より詳細についてユーザが知りたいと思った場合、端末装置が情報提供サーバにアクセスできない通信環境にある場合（地下にいる場合、接続可能なアクセスポイントがない場合など）であっても、端末装置のユーザは即時に更新情報に対応するＷｅｂ文書を閲覧できるため、端末装置のユーザが更新情報の取得忘れや閲覧漏れをおこすことを防止できる。
【００１１】
本発明の第２の態様は、端末装置として提案される。
【００１２】
この端末装置は、更新情報（例えば、ＲＳＳ文書）を取得してユーザに閲覧させる更新情報閲覧手段（例えば、ＲＳＳリーダ部）と、ＳＩＰサーバとの間でセッションの開設を行うと共に、ＳＩＰサーバから所定のリクエストを受信すると、更新情報閲覧手段を起動させて更新情報を取得させる通知処理手段（例えば、通知処理部）とを有することを特徴としている。
【００１３】
このような端末装置によれば、新たな更新情報が存在する場合には、端末装置に送られる所定のリクエストに応じて、更新情報の取得を行わせることができる。そのため、端末装置のユーザが更新情報の取得忘れや閲覧漏れをおこすことが防止される。
【００１４】
上記端末装置は更新情報に対応するＷｅｂ文書を取得して、これを端末装置のユーザである社員に閲覧させるＷｅｂ文書閲覧手段をさらに有し、通信処理手段は、ＳＩＰサーバから所定のリクエストを受信すると、Ｗｅｂ文書閲覧手段を起動させて更新情報を取得させることを特徴としていてもよい。
【００１５】
このような端末装置によれば、更新情報（更新内容の要約やヘッダ）を見て、より詳細についてユーザが知りたいと思った場合、端末装置が情報提供サーバにアクセスできない通信環境にある場合（地下にいる場合、接続可能なアクセスポイントがない場合など）であっても、端末装置のユーザは即時に更新情報に対応するＷｅｂ文書を閲覧できるため、端末装置のユーザが更新情報の取得忘れや閲覧漏れをおこすことを防止できる。
【００１６】
本発明の第３の態様は、情報提供サーバとして提案される。
【００１７】
この情報提供サーバは、Ｗｅｂ文書を要約するために用意された共通のデータフォーマットで記述され、Ｗｅｂを経由して閲覧可能な更新情報（例えば、ＲＳＳ文書）を記憶すると共に、端末装置からの要求に応じて更新情報を端末装置に宛てて送信する更新情報送信手段（例えば、ＲＳＳ文書送信部）と、端末装置に対して未送信の更新情報である未読更新情報の有無を判定する更新管理手段（例えば、更新管理部）と、更新管理手段が未読更新情報があると判定した場合、その未読更新情報の受け取り先となる端末装置に、未読更新情報の取得を求めるリクエストである所定のリクエストをＳＩＰサーバに送信させる通知手段（例えば、通知部）とを有することを特徴としている。
【００１８】
かかる情報提供サーバによれば、新たな更新情報が存在する場合には、端末装置に送られる所定のリクエストに応じて、更新情報の取得を行わせることができる。そのため、端末装置のユーザが更新情報の取得忘れや閲覧漏れをおこすことが防止される。
【発明の効果】
【００１９】
本発明によれば、新たな更新情報が存在する場合には、ＳＩＰサーバを経由して送られる所定のリクエストを用いて端末装置に更新情報の取得を行わせることができる。その結果、端末装置のユーザが更新情報の取得忘れや閲覧漏れをおこすことが防止できる。
【発明を実施するための最良の形態】
【００２０】
以下、図面を参照しながら本発明の実施の形態について説明する。
図１は、本実施の形態にかかる更新情報提供システムの構成例を示すブロック図である。
【００２１】
本更新情報提供システム１は、社員やメンバなどの更新されたスケジュールや、未読の電子メールなどの情報を社員の端末装置１０に配信する。
【００２２】
本システムの主な構成要素は、社員が社内情報を閲覧するための端末装置１０と、社内情報を記憶し、これを端末装置に提供する情報提供サーバ３０と、情報提供サーバが端末装置１０に更新情報の取得を促す際に、ＳＩＰ（Session  Initiation  Protocol）メッセージを端末装置に送るＳＩＰサーバ２０とを有している。
【００２３】
情報提供サーバ３０及びＳＩＰサーバ２０は、社内ＬＡＮ４０に接続されている。端末装置１０は、一人の社員につき必ずしも一台に限られない。社内にいる場合には社内ＬＡＮ４０に接続可能なＰＣ（パーソナルコンピュータ）であり、社外に外出した場合にはアクセスポイント５０に接続可能であってＩＰ網６０を経由して社内ＬＡＮ４０に接続可能なノートブック型ＰＣ、あるいは携帯電話網７０及びＩＰ網６０を経由して社内ＬＡＮに接続可能な携帯電話機、あるいは自宅のＰＣなどを、状況に応じて切り替えながら（あるいは同時に）その社員の使用する端末装置として利用できる。
【００２４】
[ＳＩＰサーバ]
ＳＩＰサーバ２０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの情報処理装置である。前記ＲＯＭ、若しくはハードディスク装置などに、情報処理装置をＳＩＰサーバ２０として機能させるためのプログラムが記憶されており、このプログラムを主メモリ上に載せ、ＣＰＵがこれを実行することによりＳＩＰサーバ２０が実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。
【００２５】
図２は、ＳＩＰサーバ２０の構成例を示す機能ブロック図である。  
本実施の形態にかかるＳＩＰサーバ２０は、レジストラ部２０１と、ロケーションサーバ部２０２と、プロキシサーバ部２０３を有している。
【００２６】
レジストラ部２０１はＳＩＰのＲＥＧＩＳＴＥＲリクエストを受け取って、データベースであるロケーションサーバ部２０２に登録されているユーザエージェント（端末装置）の情報を更新する。例えばあるユーザ（社員）が自分の居場所として職場のＰＣを登録するために、ＳＩＰサーバ２０、より詳しくはレジストラ部２０１にＳＩＰメッセージであるＲＥＧＳＩＴＥＲリクエストを送信すると、これを受信したレジストラ部２０１は、ロケーションサーバ部２０２に登録されているそのユーザの登録情報を更新させて、ユーザに登録完了を表す「２００  ＯＫ」レスポンスを返す。レジストラ部２０１、及びロケーションサーバ部２０２により、本システムにおけるモビリティ（ターミナルモビリティ、ローミングユーザ、パーソナルモビリティ、サービスモビリティ、セッションモビリティ）が実現されるようになっている。
【００２７】
ロケーションサーバ部２０２は、ＳＩＰエンティティのＵＲＬ，ＩＰアドレス、スクリプト、サポート機能、その他のプリファレンスなどを格納するデータベースである。レジストラ部２０１によって受け付けた端末装置１０の変更登録、すなわちユーザの登録情報の変更はロケーションサーバ部２０２に記憶される。
【００２８】
プロキシサーバ部２０３は、ユーザエージェントである端末装置１０や別のプロキシサーバからのＳＩＰリクエストを受け取って、他の宛て先（例えば、着呼側のユーザエージェントである端末装置１０）に転送したり、代理送信したりするサーバである。
【００２９】
［情報提供サーバ］
情報提供サーバ３０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの情報処理装置である。前記ＲＯＭ、若しくはハードディスク装置などに、情報処理装置を情報提供サーバ３０として機能させるためのプログラムが記憶されており、このプログラムを主メモリ上に載せ、ＣＰＵがこれを実行することにより情報提供サーバ３０が実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。
【００３０】
図３は、本実施の形態にかかる更新情報提供システム１を構成する情報提供サーバ３０の構成例を示す機能ブロック図である。
情報提供サーバ３０は、Ｗｅｂ文書送信部３０１と、ＲＳＳ文書送信部３０２と、更新管理部３０３と、通知部３０４とを有している。
Ｗｅｂ文書送信部３０１は、端末装置１０のユーザに情報を閲覧させるために、端末装置１０からの閲覧要求に応じて、要求にかかるＷｅｂ文書（ＨＴＭＬ文書、電子メールなどＩＰ網を通じて送信可能な文書（画像、動画、音声を含む））を端末装置１０に宛てて送信する機能を有し、いわゆるＷｅｂサーバ、ＷＷＷサーバとして機能する構成要素である。
【００３１】
ＲＳＳ文書送信部３０２は、Ｗｅｂ文書を要約するために用意された共通のデータフォーマットで記述された、Ｗｅｂを経由して閲覧可能な更新情報であるＲＳＳ文書（ＲＤＦ  Ｓｉｔｅ  Ｓｕｍｍａｒｙ）を、端末装置１０からの送信要求に応じてその端末装置１０に宛てて送信する機能を有する。ＲＳＳとは、Ｗｅｂサイトの見出しや要約などのメタデータを構造化して記述するＸＭＬベースのフォーマットであって、主にサイトの更新情報を公開するのに使われている。ＲＳＳで記述された文書であるＲＳＳ文書には、Ｗｅｂサイトの各ページのタイトル、アドレス、見出し、要約、更新時刻などを記述することができる。ＲＳＳ文書を用いることで、多数のＷｅｂサイトの更新情報を統一的な方法で効率的に把握することができる。
【００３２】
なお、ＲＳＳ文書送信部に格納されるＲＳＳ文書は、Ｗｅｂ文書送信部３０１が格納するＷｅｂ文書の更新情報及び／又は要約などを記述したものであって、端末装置１０のユーザである社員がＲＳＳ文書送信部３０２からＲＳＳ文書を取得し、これを閲覧することにより自分が未読の情報（新規、更新の双方を含む）があることを容易に認識できる。
【００３３】
更新管理部３０３は、端末装置１０のユーザである各社員ごとに、既読／未読の更新情報の別を管理し、未読の更新情報の有無を監視する。更新管理部３０３は、それぞれ社員について、未読の更新情報がある場合であって、且つ所定の条件が成立した場合、通知部３０４にその社員の端末装置１０に対して、ＲＳＳ文書の取得を要求するメッセージである所定のリクエストを送信するよう要求する。ここで、「所定の条件」とは、未読の更新情報の閲覧を社員に促すに適した時期の到来であって、例えば、未読の更新情報の発生から所定期間の経過（１２時間、１日など）、未読の更新情報件数が所定数以上になったことなど、である。
【００３４】
通知部３０４は、更新管理部３０３から、ある社員に対して所定のリクエストを送信する旨の要求を受け取ると、所定のリクエストを、ＳＩＰサーバ、より詳しくはプロキシサーバを経由してその社員（以下、通知対象社員）の端末装置１０に送信する。通知部３０４は、ＳＩＰのユーザ・エージェント・クライアント（ＵＡＣ）として機能する。
【００３５】
通知部３０４がその通知対象社員の端末装置１０に所定のリクエスト（例えば、ＳＩＰリクエストのＳＵＢＳＣＲＩＢＥリクエスト，あるいはＮＯＴＩＦＹリクエスト、など）を送信すると、その通知対象社員の端末装置１０はこのリクエストに応答して、ＲＳＳ文書送信部３０２からＲＳＳ文書を取得し、ローカルな記憶装置に記憶する。通知対象社員は端末装置１０のＲＳＳリーダを用いてこのＲＳＳ文書を閲覧することにより、自分にとっての未読の更新情報を認識することができる。
【００３６】
［端末装置］
次に、本更新情報提供システム１の端末装置１０について説明する。
【００３７】
端末装置１０は、社内ＬＡＮ４０に直接接続し、あるいは携帯電話網７０、ＩＰ網６０を経由して社内ＬＡＮ４０に接続してＳＩＰサーバ２０及び情報提供サーバ３０に接続可能な情報処理装置であって、例えば、パーソナルコンピュータ、ワークステーション、あるいはＩＰ電話機能、Ｗｅｂ接続機能、及びＲＳＳリーダ機能を有する携帯電話機、コンピュータ、もしくは移動体通信端末、ＰＤＡ（Personal Digital Assistant）などである。
【００３８】
図４に、端末装置１０の一構成例の機能ロック図を掲げる。
端末装置１０は、リクエスト（ＳＩＰリクエストを含む）を受信して所定の処理を行う通知処理部１０１と、情報提供サーバ３０のＲＳＳ文書送信部３０２からＲＳＳ文書を取得して、これを端末装置１０のユーザである社員に閲覧させるＲＳＳリーダ部１０２と、情報提供サーバ３０のＷｅｂ文書送信部３０１からＷｅｂ文書を取得して、これを端末装置１０のユーザである社員に閲覧させるＷｅｂブラウザ部１０３と、ＲＳＳリーダ部１０２及びＷｅｂブラウザ部１０３の表示処理結果を画像として表示する表示装置（例えば、液晶ディスプレイ装置）１０４とを有している。
【００３９】
通知処理部１０１は、ＳＩＰのユーザ・エージェント・サーバ（ＵＡＳ）として機能し、プロキシサーバ部２０３を経由した通知部３０４からのＳＩＰリクエストを受信する。受信したＳＩＰリクエストが、ＲＳＳ文書及び／又はＷｅｂ文書の取得を要求することを意味する場合、通知処理部１０１はＲＳＳリーダ部１０２及びＷｅｂブラウザ部１０３に、ＲＳＳ文書送信部３０２及びＷｅｂ文書送信部３０１からＲＳＳ文書及びＷｅｂ文書を取得し、ローカルな記憶装置にこれらのデータを記憶させる。
【００４０】
ＲＳＳリーダ部１０２は、ローカルな記憶装置に記憶したＲＳＳ文書を所定のタイミングで表示装置１０４に表示させ、ユーザにＲＳＳ文書の閲覧を行わせる。所定のタイミングは、例えば、所定の時刻となった場合、あるいは所定の時間が経過した場合、あるいは電源を投入されて端末装置１０が起動した場合、などである。ＲＳＳリーダ部１０２は、ユーザの操作を必要とすることなく、自立的にＲＳＳ文書送信部３０２から最新のＲＳＳ文書を取得する。従って、ユーザがＲＳＳ文書の取得、閲覧を忘れていても、自動的に端末装置１０がＲＳＳ文書を取得し、その結果端末装置１０のユーザは常に最新の未読の更新情報を閲覧できるようになっている。
【００４１】
Ｗｅｂブラウザ部１０３は、ローカルな記憶装置に記憶したＷｅｂ文書を所定のタイミングで表示装置１０４に表示させ、ユーザにＷｅｂ文書の閲覧を行わせる。所定のタイミングとは、ユーザがＲＳＳリーダ部１０２が表示した未読の更新情報についてのアンカー（ハイパーリンク）を活性化させたとき、などである。本実施の形態では端末装置１０がＷｅｂ文書をローカルな記憶装置に記憶するため、端末装置１０が情報提供サーバ３０にアクセスしなくとも未読の更新情報を閲覧することを可能としている。この特徴を有することにより、端末装置１０が情報提供サーバ３０にアクセスできない環境や状況であっても、随時ユーザが未読の更新情報を閲覧することが可能となり、その結果、たとえば一刻を争い緊急に知らせたい情報が未読であっても、端末装置１０の通信環境にかかわらずいつ何時でもユーザに閲覧させることが可能となる。
【００４２】
［更新情報提供システムの動作例］
次に、上記の更新情報提供システム１の動作例について、図５を参照しながら説明する。図５は、更新情報提供システム１の動作例を示すシーケンス図である。
【００４３】
まず初めに、情報提供サーバ３０においてあるＷｅｂ文書が更新されたものとする（ステップＳ５０１）。例えば、ある部課におけるメンバの変更されたスケジュール、新しい会議予定通知がＷｅｂ文書としてＷｅｂ文書送信部３０１に更新されたＷｅｂ文書がアップされ、記憶される。
【００４４】
ＲＳＳ文書送信部３０２にもこの更新された更新されたＷｅｂ文書に対応したＲＳＳ文書がアップされ記憶される。例えば、「◎月◎日  最新スケジュール更新」「新会議予定のお知らせ」などのヘッダを有するＲＳＳ文書が作成され、ＲＳＳ文書送信部３０２に記憶される。なお、ＲＳＳ文書の作成は、プログラムによって更新されたＷｅｂ文書から自動的に生成する仕組みとしてもよいし、あるいはオペレータや担当者がＷｅｂ文書の内容から手入力により作成する仕組みであってもよい。
【００４５】
つぎに、情報提供サーバ３０、より詳しくは更新管理部３０３は更新チェックを行う（Ｓ５０２）。更新チェックは、新しいＲＳＳ文書若しくは更新されたＲＳＳ文書がＲＳＳ文書送信部３０２に存在するか否かをチェックし、存在する場合にはそのＲＳＳ文書を取得させるべき社員（若しくは端末装置１０）を特定する処理である。各ＲＳＳ文書にはその文書を閲覧する社員（若しくは端末装置１０）が対応付けされて記憶されており、更新管理部３０３はそのＲＳＳ文書を取得させる社員（若しくは端末装置１０）を特定できるようになっている。
【００４６】
更新チェック（Ｓ５０２）において、更新管理部３０３が新しいＲＳＳ文書若しくは更新されたＲＳＳ文書がＲＳＳ文書送信部３０２に存在すると判定した場合は、更新管理部３０３は、ＲＳＳ文書配信部３０２からＲＳＳ文書を取得するよう促すリクエストをそのＲＳＳ文書に対応する社員の端末装置１０（一台とは限らない；以下「通知宛先端末装置」と呼ぶ）、より詳しくは通知処理部１０１に送るように、通知部３０４に指示する。例えば、更新管理部３０３はそのＲＳＳ文書のＵＲＬと、その社員の識別情報（例えば、ＳＩＰ  ＵＲＩ、あるいは電話番号）を通知部３０４に渡す。
【００４７】
更新管理部３０３から指示を受け取った通知部３０４は、通知処理を開始するため起動する（Ｓ５０３）。
【００４８】
起動した通知部３０４は、受け取った社員の識別情報に基づいて、ＲＳＳ文書配信部３０２からＲＳＳ文書を取得することを促すリクエストをＳＩＰサーバ２０、より詳しくはプロキシサーバ部２０３を経由して通知宛先端末装置１０に送信する。
【００４９】
この処理の一例を挙げると、まず通知部３０４はプロキシサーバ部２０３に、通知宛先端末装置１０に「ＩＮＶＩＴＥ」リクエストを送信するようプロキシサーバ部２０３に「ＩＮＶＩＴＥ」リクエストを渡す（Ｓ５０４）。このリクエストを受け取ったＳＩＰサーバ２０内部おいて以下のアドレス解決処理が行われる。すなわち、プロキシサーバ部２０３はロケーションサーバ部２０２に、その社員の識別情報に対応する登録情報を要求する。ロケーションサーバ部２０２は従前レジストラ部２０１によって登録されているその社員の通知宛先端末装置１０のＩＰアドレスを取得し、プロキシサーバ部２０３にＩＰアドレスを返す。
【００５０】
プロキシサーバ部２０３は、そのＩＰアドレスに宛てて「ＩＮＶＩＴＥ」リクエストを送信する（Ｓ５０５）とともに、発呼側ユーザ・エージェントである情報提供サーバ３０、より詳しくは通知部３０４に「１００  Ｔｒｙｉｎｇ」レスポンスを返す（Ｓ５０６）。
【００５１】
一方、「ＩＮＶＩＴＥ」リクエストを受け取った着呼側ユーザエージェントである通知宛先端末装置１０、より詳しくはその通知処理部１０１は、プロキシサーバ部２０３を経由して情報提供サーバ３０、より詳しくは通知部３０４に「１８０  Ｒｉｎｇｉｎｇ」レスポンスを返す（Ｓ５０９，Ｓ５１０）。続いて、着呼側ユーザエージェントである通知宛先端末装置１０、より詳しくはその通知処理部１０１は、プロキシサーバ部２０３を経由して情報提供サーバ３０、より詳しくはその通知部３０４に「ＩＮＶＩＴＥ」リクエストが受理されたことを通知する「２００  ＯＫ」レスポンスを返す（Ｓ５０９，Ｓ５１０）。
【００５２】
「２００  ＯＫ」レスポンスを受け取った通知部３０４は、「ＡＣＫ」リクエストをプロキシサーバ部２０３を経由して通知宛先端末装置１０、より詳しくは通知処理部１０１へ送信する（Ｓ５１１、Ｓ５１２）。
【００５３】
ステップＳ５０４からＳ５１２までのやりとりで発呼側ユーザエージェントである情報提供サーバ３０、より詳しくは通知部３０４と着呼側ユーザエージェントである通知宛先端末装置１０、より詳しくは通知処理部１０１とのセッションの設定（接続の確立）が完了する。
【００５４】
つぎに、情報提供サーバ３０、より詳しくは通知部３０４はＲＳＳ文書取得を促すリクエストである「ＭＥＳＳＡＧＥ」リクエストをプロキシサーバ部２０３を経由して通知宛先端末装置１０、より詳しくは通知処理部１０１へ送信する（Ｓ５１３、Ｓ５１４）。この「ＭＥＳＳＡＧＥ」リクエストのボディには、情報提供サーバ３０のＲＳＳ文書送信部３０２から通知宛先端末装置１０のＲＳＳリーダ部１０２へのＲＳＳ文書の送信を行うために必要な情報（例えば、ＲＳＳ文書送信部３０２のＩＰアドレス、ＲＳＳ文書のＵＲＬなど）、および情報提供サーバ３０のＷｅｂ文書送信部３０１から通知宛先端末装置１０のＷｅｂブラウザ部１０３へのＷｅｂ文書の送信を行うために必要な情報（例えば、Ｗｅｂ文書送信部３０１のＩＰアドレス、送信対象となるＷｅｂ文書のＵＲＬなど）が記述されている。なお、この実施の形態では、ＳＩＰリクエストの一つであるＭＥＳＳＡＧＥリクエストをＲＳＳ文書取得を促すリクエストとして使用するものとするが、かかるリクエストに限定される趣旨ではない。通知処理部１０１がＲＳＳ文書取得を促すリクエストとして解釈可能であればどのようなリクエスト、メッセージであってもよい。
【００５５】
続いて、図６を参照しながら図５，ステップＳ５１４後の動作例について説明する。図６は、図５に示した動作以降のシーケンスを示すシーケンス図である。
ＲＳＳ文書取得を促すリクエストである「ＭＥＳＳＡＧＥ」リクエストを受け取った、通知宛先端末装置１０、より詳しくは通知処理部１０１は、ＲＳＳリーダ部１０２を起動し、ＲＳＳリーダ部にＲＳＳ文書取得処理を行わせる（Ｓ６０１）。ＲＳＳリーダ部１０２は、ＲＳＳ文書取得を促すリクエストである「ＭＥＳＳＡＧＥ」リクエストから、情報提供サーバ３０のＲＳＳ文書送信部３０２から通知宛先端末装置１０のＲＳＳリーダ部１０２へのＲＳＳ文書の送信を行うために必要な情報を取得し、この情報に基づいて情報提供サーバ３０のＲＳＳ文書送信部３０２を送信するようリクエストを送る（Ｓ６０２）。なお、ＲＳＳリーダ部１０２とＲＳＳ文書送信部３０２とのＲＳＳ文書の送受信は、ＳＩＰのメディアセッションと同様に扱ってもよいし、あるいはＨＴＴＰやＵＤＰなどを用いて行うようにしても構わない。また、ＲＳＳリーダ部１０２とＲＳＳ文書送信部３０２とのＲＳＳ文書の送受信は、必ずしもプロキシサーバ部２０３を経由して行う必要はなく、どのようなルートによりＲＳＳ文書の送受信を行うようにしても構わない。
【００５６】
リクエストを受信した情報提供サーバ３０のＲＳＳ文書送信部３０２は、要求されたＲＳＳ文書を通知宛先端末装置１０のＲＳＳリーダ部１０２へ送信する（Ｓ６０３）。ＲＳＳ文書を受信した通知宛先端末装置１０のＲＳＳリーダ部１０２は、ローカルな記憶装置にＲＳＳ文書を記憶させる（Ｓ６０４）。
【００５７】
また、「ＭＥＳＳＡＧＥ」リクエストを受け取った通知宛先端末装置１０、より詳しくは通知処理部１０１は、Ｗｅｂブラウザ部１０３を起動し（Ｓ６０５）、Ｗｅｂブラウザ部１０３にＷｅｂ文書取得処理を行わせる。起動したＷｅｂブラウザ部１０３は、「ＭＥＳＳＡＧＥ」リクエストからＷｅｂ文書の送信を要求するために必要な情報を取得し、この情報に基づいて情報提供サーバ３０のＷｅｂ文書送信部にＷｅｂ文書を送信するようリクエストを送る（Ｓ６０６）。なお、Ｗｅｂブラウザ部１０３とＷｅｂ文書送信部３０１との間で行われるＷｅｂ文書の送受信は、ＳＩＰのメディアセッションと同様に扱ってもよいし、あるいはＨＴＴＰやＵＤＰなどを用いて行うようにしても構わない。また、Ｗｅｂブラウザ部１０３とＷｅｂ文書送信部３０１との間のＷｅｂ文書の送受信は、必ずしもプロキシサーバ部２０３を経由して行う必要はなく、どのようなルートによりＷｅｂ文書の送受信を行うようにしても構わない。なお、ここで送信されるＷｅｂ文書は前述のＲＳＳ文書に記載された情報に対応するＷｅｂ文書であり、例えば、ＲＳＳ文書に記載された要約に対応するＷｅｂ文書（要約の元となったＷｅｂ文書）である。
【００５８】
リクエストを受信した情報提供サーバ３０のＷｅｂ文書送信部３０１は、要求されたＷｅｂ文書を通知宛先端末装置１０のＷｅｂブラウザ部１０３へ送信する（Ｓ６０７）。Ｗｅｂ文書を受信した通知宛先端末装置１０のＷｅｂブラウザ部１０３は、ローカルな記憶装置にＷｅｂ文書を記憶させる（Ｓ６０８）。
【００５９】
上記のＲＳＳ文書記憶（Ｓ６０４）、Ｗｅｂ文書記憶（Ｓ６０８）により、通知宛先端末装置１０のローカルな記憶装置に更新された情報を示すＲＳＳ文書及びＷｅｂ文書が記憶され、通知宛先端末装置１０のユーザである社員がＲＳＳリーダ部１０２を使用して、記憶したＲＳＳ文書を閲覧することにより、情報提供サーバ３０において更新された情報の要約などを閲覧することができる。また、更新された情報の詳細若しくは全文を閲覧したい場合は、ローカルな記憶装置に記憶されているＷｅｂ文書をＷｅｂブラウザ部１０３を使用して閲覧することにより情報提供サーバ３０において更新された情報の詳細若しくは全文を閲覧できる。
【００６０】
［モビリティ］
本更新情報提供システム１は、情報提供サーバ３０のレジストラ部２０１、ローケーションサーバ部２０２により、ＳＩＰモビリティを実現しながら更新情報の提供を行うことができる。「ＳＩＰモビリティ」とは、有線・無線を問わず、すべてのモバイルユーザにターミナルモビリティ（携帯電話やＭｏｂｉｌｅ  ＩＰをサポートするネットワーク内で、ユーザ端末が接続地点を変更できること）、パーソナルモビリティ（一つの同じＩＰアドレスを維持しながら複数の異なるＩＰ端末を使用すること）をサポートする機能である。
【００６１】
例えば、ある社員が通常社内で使用している端末装置１０を社外で使用するため、ホットスポットと呼ばれる無線ＬＡＮに接続している場合にも、ターミナルモビリティの実現により本更新情報提供システムにより更新情報の提供がおこなわれる。
【００６２】
また、ある社員が複数の端末装置１０を状況に応じて使い分けている場合（会社のＰＣ，自宅のＰＣ、外出先で使用するノートＰＣ，携帯電話機など）、同一のアドレスにＳＩＰリクエストを送信することにより適切な端末装置１０にＳＩＰリクエストが送信され、本更新情報提供システム１により更新情報の提供がおこなわれる。例えば、会社にいるときには会社のＰＣに新情報の提供がおこなわれ、終業後には自宅のＰＣに更新情報の提供がおこなわれる。なお、このようなパーソナルモビリティを実現するには、ロケーションサーバ部２０２にどれが現在使用可能な端末装置なのか示す情報が予め登録されていたり、端末装置１０の切り替えの際に手動若しくは自動にてレジストラ部２０１に登録が行われることが必要となる。
【００６３】
かかるモビリティが実現されることにより、本システム１は重要な更新情報を社員が見落とすことなく、いつでも更新情報の閲覧をできるようにしている。
【図面の簡単な説明】
【００６４】
【図１】更新情報提供システムの構成例を示すブロック図
【図２】ＳＩＰサーバの構成例を示すブロック図
【図３】情報提供サーバの構成例を示すブロック図
【図４】端末装置の構成例を示すブロック図
【図５】更新情報提供システムの動作例を示すシーケンス図
【図６】図５に続く、更新情報提供システムの動作例を示すシーケンス図
【符号の説明】
【００６５】
１  …更新情報提供システム
１０  …端末装置
２０  …ＳＩＰサーバ
３０  …情報提供サーバ
１０１  …通知処理部
１０２  …ＲＳＳリーダ部
１０３  …Ｗｅｂブラウザ部
１０４  …表示装置
２０１  …レジストラ部
２０２  …ロケーションサーバ部
２０３  …プロキシサーバ部
３０１  …Ｗｅｂ文書送信部
３０２  …ＲＳＳ文書送信部
３０３  …更新管理部
３０４  …通知部
【図１】
2007334743.tif 000003
【図２】
2007334743.tif 000004
【図３】
2007334743.tif 000005
【図４】
2007334743.tif 000006
【図５】
2007334743.tif 000007
【図６】
2007334743.tif 000008